(57)【特許請求の範囲】
【請求項１】
本体を含み、前記本体の頂面には反応塔と第一沈降箱とが固定的に設置され、前記第一沈降箱が前記反応塔の左側に位置し、前記反応塔の中には上方に開口した反応空間が設置され、前記反応空間の中に汚水を注ぐことができ、前記反応空間の中には汚水と反応剤を均等に撹拌できる撹拌機構が設置され、前記反応塔の右側面にはケースが固定的に設置され、前記ケースの中には上方に開口した液貯蔵空間が設置され、前記液貯蔵空間の中には反応剤を貯蔵でき、前記液貯蔵空間と前記反応空間との間には連結空間が連通するように設置され、前記連結空間の中には前記液貯蔵空間の中の反応剤を間欠的に前記反応空間の中に排出できるピストン機構が設置され、前記本体の中にはモーター空間が設置され、前記モーター空間の底壁には第一モーターが固定的に設置され、前記第一モーターは伝動を通じて前記撹拌機構と前記ピストン機構とを制御でき、
前記第一沈降箱の中には上方に開口した第一沈殿池が設置され、前記第一沈殿池の中には沈降機構が設置され、前記沈降機構は前記反応空間の中で均等に撹拌された汚水を静置して沈殿を生成させてから汚水をろ過でき、前記モーター空間の下側には汚水空間が設置され、前記汚水空間は前記撹拌機構と前記ピストン機構とによって浄水をろ過しにくい汚水及びヘドロを貯蔵でき、前記本体の頂面には二つの左右対称の支持柱が固定的に設置され、前記支持柱が前記反応塔の右側に位置し、二つの前記支持柱の間には前記汚水空間の中に貯蔵している汚水とヘドロに加圧ろ過をできる加圧ろ過機構が設置され、前記本体の中には上方に開口した制御空間が設置され、前記制御空間の中には前記加圧ろ過機構を制御して開けることができる制御機構が設置され、
前記加圧ろ過機構は二つの前記支持柱の間に固定的に設置されたスライド柱を含み、前記スライド柱の外周には七つのフィルター板がスライドできるように設置され、前記フィルター板の中にはフィルターが固定的に設置され、前記フィルター板の上下両側にはいずれも引っかかり溝が形成され、一番右側に位置する前記フィルター板の右側面には二つの上下対称の押し動かし柱が当接するように設置され、前記押し動かし柱の右方に伸びている部分が右側に位置する前記支持柱の内壁を貫通し、且つ前記押し動かし柱の右方に伸びている部分の右側面には押し動かし板が固定的に設置され、右側に位置する前記支持柱の右側面には液圧シリンダが固定的に設置され、前記液圧シリンダの右側面には液圧軸が伝動できるように連結され、前記液圧軸の右側面が前記押し動かし板と固定的に連結され、前記本体の頂面には汚水ポンプが固定的に設置され、前記汚水ポンプの上下両側にはいずれもウォーターポンプ管が連通するように装着され、上側に位置する前記ウォーターポンプ管の右方に伸びている部分が左側に位置する前記支持柱の内壁を貫通し、且つ左側に位置する前記フィルター板と連通し、下側に位置する前記ウォーターポンプ管が前記汚水空間と連通し、前記汚水空間の右側には上下方向に開口した貯蔵空間が設置され、前記貯蔵空間の下側には閉鎖ドアがスライドできるように装着され、
前記汚水空間の左側には左方に開口した収納空間が設置され、前記収納空間の底壁にはウォーターポンプが固定的に設置され、前記ウォーターポンプの左右両側面にはいずれも排水管が連通するように設置され、前記第一沈降箱の下側には水管が連通するように装着され、前記貯蔵空間の左壁には吸水管が連通するように装着され、前記水管の下方に伸びている部分が前記収納空間の中に伸び、前記吸水管の左方に伸びている部分が前記収納空間の中に伸び、前記吸水管と、前記水管と、右側に位置する前記排水管との間には三方管が固定的に装着され、
前記制御機構は前記制御空間の底壁に固定的に設置された第二モーターを含み、前記制御空間の底壁には移動板がスライドできるように設置され、前記第二モーターの右側面にはスクリューが伝動できるように連結され、前記スクリューの右方に伸びている部分が前記移動板の内壁を貫通し、且つ前記制御空間の右壁と回転できるように連結され、前記移動板が前記スクリューとねじ山によって嵌合され、前記移動板の左側面には二つの上下対称の移動ロッドが固定的に設置され、前記移動ロッドの左方に伸びている部分が右側に位置する前記支持柱の内壁を貫通し、前記移動ロッドの後側面にはヒンジピンがヒンジで連結され、前記ヒンジピンの右側面と前記移動ロッドとの間には第一ばねが固定的に装着され、前記ヒンジピンの底面には底板が固定的に設置され、前記底板と前記移動ロッドとの間には第二ばねが固定的に装着され、前記ヒンジピンは前記引っかかり溝の中に差し込まれることができることを特徴とする紡績業向けの汚水処理装置。
【請求項２】
前記反応塔の左側面には支え板が固定的に設置され、前記支え板の頂面にはジャケットが固定的に設置され、前記ジャケットの中には汚水管が挟まれて装着され、前記汚水管の右方に伸びている部分が前記反応空間の中に伸び、前記汚水管の左側の伸びている部分が汚水源と連通していることを特徴とする請求項１に記載の紡績業向けの汚水処理装置。
【請求項３】
前記撹拌機構はモーター軸を含み、前記モーター軸の底面が前記第一モーターの頂面に伝動できるように連結され、前記モーター軸の上方に伸びている部分が前記反応空間の中に伸び、且つ前記モーター軸の上方に伸びている部分の外周には撹拌ロッドが固定的に設置され、前記反応空間の底面にはシールスリーブが固定的に設置されていることを特徴とする請求項２に記載の紡績業向けの汚水処理装置。
【請求項４】
前記ピストン機構はピストンを含み、前記連結空間の下側には下方に開口したスライド空間が連通するように設置され、前記ピストンが前記スライド空間の内壁にスライドできるように設置され、前記ピストンの下側には前記連結空間がヒンジで連結され、前記モーター空間の右側には上方に開口した曲がりロッド空間が設置され、前記曲がりロッド空間の左壁には曲がりロッドが回転できるように設置され、前記曲がりロッドの左方に伸びている部分が前記モーター空間の中に伸び、且つ前記曲がりロッドの左方に伸びている部分の左側面には第一傘歯車が固定的に設置され、前記モーター空間の中の前記モーター軸の外周には第二傘歯車が固定的に設置され、前記第二傘歯車が前記第一傘歯車と噛み合い、前記連結空間の下方に伸びている部分が前記曲がりロッド空間の中に伸び、且つ前記曲がりロッドとヒンジで連結されていることを特徴とする請求項３に記載の紡績業向けの汚水処理装置。
【請求項５】
前記ケースの頂面には閉鎖蓋が回転できるように設置されていることを特徴とする請求項４に記載の紡績業向けの汚水処理装置。
【請求項６】
前記沈降機構は前記第一沈殿池の底壁に固定的に設置された第二沈降箱を含み、前記第二沈降箱の中には上方に開口した第二沈殿池が設置され、前記反応塔の内壁の中には第一バルブが固定的に設置され、前記第一バルブの右側が前記反応空間と連通し、前記第一バルブの左側には横管が連通するように連結され、前記横管の左側が前記第二沈殿池と連通し、前記第二沈殿池と前記第一沈殿池との間の内壁の中には二つの左右対称の第二バルブが設置され、前記第二バルブは前記第二沈殿池と前記第一沈殿池とを連通させることができることを特徴とする請求項１に記載の紡績業向けの汚水処理装置。
【請求項７】
前記反応空間の底壁の中には第三バルブが固定的に設置され、前記第三バルブの上側が前記反応空間と連通し、前記第三バルブの下側には直管が連通するように連結され、前記直管が前記汚水空間と連通し、前記第二沈殿池の底壁の中には第四バルブが固定的に設置され、前記第四バルブの上側が前記第二沈殿池と連通し、前記第四バルブの下側には連結管が連通するように連結され、前記連結管が前記汚水空間と連通していることを特徴とする請求項６に記載の紡績業向けの汚水処理装置。
【発明の詳細な説明】
【技術分野】
【０００１】
本発明は汚水処理技術分野に関わり、具体的には紡績業向けの汚水処理装置である。
【背景技術】
【０００２】
現在、大型紡績業は依然として主な汚水排出産業の一つである。環境に優しくて資源を節約するため、汚水処理は不可欠な一環であり、しかし、一般の工場は汚水を処理する方式が単一で、普通は第二沈殿池を用い、沈殿池の中に中和反応剤を入れ、また汚水を静置して沈殿を生成させ、このような方法の効率は低く、反応剤は充分に反応を起こすことができず、処理された後にまだ大量の汚水があり、且つリサイクルできない。また市販されているフィルタープレスは汚水をろ過できるが、一般には手動で操作する必要があり、煩雑である。
【先行技術文献】
【特許文献】
【０００３】
【特許文献１】中国特許出願公開第１０５０６０５２５号明細書
【発明の概要】
【発明が解決しようとする課題】
【０００４】
本発明は紡績業向けの汚水処理装置を提供し、既存技術にある上記の欠点を解消することを目的とする。
【課題を解決するための手段】
【０００５】
本発明の実施例における紡績業向けの汚水処理装置は、本体を含み、前記本体の頂面には反応塔と第一沈降箱とが固定的に設置され、前記第一沈降箱が前記反応塔の左側に位置し、前記反応塔の中には上方に開口した反応空間が設置され、前記反応空間の中に汚水を注ぐことができ、前記反応空間の中には汚水と反応剤を均等に撹拌できる撹拌機構が設置され、前記反応塔の右側面にはケースが固定的に設置され、前記ケースの中には上方に開口した液貯蔵空間が設置され、前記液貯蔵空間の中には反応剤を貯蔵でき、前記液貯蔵空間と前記反応空間との間には連結空間が連通するように設置され、前記連結空間の中には前記液貯蔵空間の中の反応剤を間欠的に前記反応空間の中に排出できるピストン機構が設置され、前記本体の中にはモーター空間が設置され、前記モーター空間の底壁には第一モーターが固定的に設置され、前記第一モーターは伝動を通じて前記撹拌機構と前記ピストン機構とを制御でき、前記第一沈降箱の中には上方に開口した第一沈殿池が設置され、前記第一沈殿池の中には沈降機構が設置され、前記沈降機構は前記反応空間の中で均等に撹拌された汚水を静置して沈殿を生成させてから汚水をろ過でき、前記モーター空間の下側には汚水空間が設置され、前記汚水空間は前記撹拌機構と前記ピストン機構とによって浄水をろ過しにくい汚水及びヘドロを貯蔵でき、前記本体の頂面には二つの左右対称の支持柱が固定的に設置され、前記支持柱が前記反応塔の右側に位置し、二つの前記支持柱の間には前記汚水空間の中に貯蔵している汚水とヘドロに加圧ろ過をできる加圧ろ過機構が設置され、前記本体の中には上方に開口した制御空間が設置され、前記制御空間の中には前記加圧ろ過機構を制御して開けることができる制御機構が設置されている。
【０００６】
さらなる技術プランには、前記反応塔の左側面には支え板が固定的に設置され、前記支え板の頂面にはジャケットが固定的に設置され、前記ジャケットの中には汚水管が挟まれて装着され、前記汚水管の右方に伸びている部分が前記反応空間の中に伸び、前記汚水管の左側の伸びている部分が汚水源と連通している。
【０００７】
さらなる技術プランには、前記撹拌機構はモーター軸を含み、前記モーター軸の底面が前記第一モーターの頂面に伝動できるように連結され、前記モーター軸の上方に伸びている部分が前記反応空間の中に伸び、且つ前記モーター軸の上方に伸びている部分の外周には撹拌ロッドが固定的に設置され、前記反応空間の底面にはシールスリーブが固定的に設置されている。
【０００８】
さらなる技術プランには、前記ピストン機構はピストンを含み、前記連結空間の下側には下方に開口したスライド空間が連通するように設置され、前記ピストンが前記スライド空間の内壁にスライドできるように設置され、前記ピストンの下側には前記連結空間がヒンジで連結され、前記モーター空間の右側には上方に開口した曲がりロッド空間が設置され、前記曲がりロッド空間の左壁には曲がりロッドが回転できるように設置され、前記曲がりロッドの左方に伸びている部分が前記モーター空間の中に伸び、且つ前記曲がりロッドの左方に伸びている部分の左側面には第一傘歯車が固定的に設置され、前記モーター空間の中の前記モーター軸の外周には第二傘歯車が固定的に設置され、前記第二傘歯車が前記第一傘歯車と噛み合い、前記連結空間の下方に伸びている部分が前記曲がりロッド空間の中に伸び、且つ前記曲がりロッドとヒンジで連結されている。
【０００９】
さらなる技術プランには、前記ケースの頂面には閉鎖蓋が回転できるように設置されている。
【００１０】
さらなる技術プランには、前記沈降機構は前記第一沈殿池の底壁に固定的に設置された第二沈降箱を含み、前記第二沈降箱の中には上方に開口した第二沈殿池が設置され、前記反応塔の内壁の中には第一バルブが固定的に設置され、前記第一バルブの右側が前記反応空間と連通し、前記第一バルブの左側には横管が連通するように連結され、前記横管の左側が前記第二沈殿池と連通し、前記第二沈殿池と前記第一沈殿池との間の内壁の中には二つの左右対称の第二バルブが設置され、前記第二バルブは前記第二沈殿池と前記第一沈殿池とを連通させることができる。
【００１１】
さらなる技術プランには、前記反応空間の底壁の中には第三バルブが固定的に設置され、前記第三バルブの上側が前記反応空間と連通し、前記第三バルブの下側には直管が連通するように連結され、前記直管が前記汚水空間と連通し、前記第二沈殿池の底壁の中には第四バルブが固定的に設置され、前記第四バルブの上側が前記第二沈殿池と連通し、前記第四バルブの下側には連結管が連通するように連結され、前記連結管が前記汚水空間と連通している。
【００１２】
さらなる技術プランには、前記加圧ろ過機構は二つの前記支持柱の間に固定的に設置されたスライド柱を含み、前記スライド柱の外周には七つのフィルター板がスライドできるように設置され、前記フィルター板の中にはフィルターが固定的に設置され、前記フィルター板の上下両側にはいずれも引っかかり溝が形成され、一番右側に位置する前記フィルター板の右側面には二つの上下対称の押し動かし柱が当接するように設置され、前記押し動かし柱の右方に伸びている部分が右側に位置する前記支持柱の内壁を貫通し、且つ前記押し動かし柱の右方に伸びている部分の右側面には押し動かし板が固定的に設置され、右側に位置する前記支持柱の右側面には液圧シリンダが固定的に設置され、前記液圧シリンダの右側面には液圧軸が伝動できるように連結され、前記液圧軸の右側面が前記押し動かし板と固定的に連結され、前記本体の頂面には汚水ポンプが固定的に設置され、前記汚水ポンプの上下両側にはいずれもウォーターポンプ管が連通するように装着され、上側に位置する前記ウォーターポンプ管の右方に伸びている部分が左側に位置する前記支持柱の内壁を貫通し、且つ左側に位置する前記フィルター板と連通し、下側に位置する前記ウォーターポンプ管が前記汚水空間と連通し、前記汚水空間の右側には上下方向に開口した貯蔵空間が設置され、前記貯蔵空間の下側には閉鎖ドアがスライドできるように装着されている。
【００１３】
さらなる技術プランには、前記汚水空間の左側には左方に開口した収納空間が設置され、前記収納空間の底壁にはウォーターポンプが固定的に設置され、前記ウォーターポンプの左右両側面にはいずれも排水管が連通するように設置され、前記第一沈降箱の下側には水管が連通するように装着され、前記貯蔵空間の左壁には吸水管が連通するように装着され、前記水管の下方に伸びている部分が前記収納空間の中に伸び、前記吸水管の左方に伸びている部分が前記収納空間の中に伸び、前記吸水管と、前記水管と、右側に位置する前記排水管との間には三方管が固定的に装着されている。
【００１４】
さらなる技術プランには、前記制御機構は前記制御空間の底壁に固定的に設置された第二モーターを含み、前記制御空間の底壁には移動板がスライドできるように設置され、前記第二モーターの右側面にはスクリューが伝動できるように連結され、前記スクリューの右方に伸びている部分が前記移動板の内壁を貫通し、且つ前記制御空間の右壁と回転できるように連結され、前記移動板が前記スクリューとねじ山によって嵌合され、前記移動板の左側面には二つの上下対称の移動ロッドが固定的に設置され、前記移動ロッドの左方に伸びている部分が右側に位置する前記支持柱の内壁を貫通し、前記移動ロッドの後側面にはヒンジピンがヒンジで連結され、前記ヒンジピンの右側面と前記移動ロッドとの間には第一ばねが固定的に装着され、前記ヒンジピンの底面には底板が固定的に設置され、前記底板と前記移動ロッドとの間には第二ばねが固定的に装着され、前記ヒンジピンは前記引っかかり溝の中に差し込まれることができる。
【発明の効果】
【００１５】
本発明の有益な効果は：本発明は最大限に大型紡績業から排出された汚水を利用でき、処理した後の浄水をリサイクルでき、資源の利用率を高め、製品のコストを下げ、且つ汚水を処理する方式が簡単で便利であり、操作しやすく、装置の自動化程度が高い。撹拌機構とピストン機構とが連動して作動することにより、汚水を撹拌する過程に反応剤と充分に中和させ、汚水が最初の段階で層に分け、上層の清らかな液体は沈降機構によって二段階静置沈殿でき、一部の浄水をろ過でき、反応空間と第二沈殿池との中に残った汚水は加圧ろ過機器の加圧ろ過作用によって第三回浄水をろ過でき、制御機構はモーターを介して自動的にフィルタ−板を開けられ、力を省く。
【図面の簡単な説明】
【００１６】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の内部全体構成概略図
【図２】図２は本発明図１におけるＡの拡大概略図
【図３】図３は本発明図１におけるＢの拡大概略図
【図４】図４は本発明の制御機構が加圧ろ過機構を制御する作動状態の概略図
【発明を実施するための形態】
【００１８】
図１〜４を参照し、本発明の実施例における紡績業向けの汚水処理装置は、本体２２を含み、前記本体２２の頂面には反応塔３４と第一沈降箱１４とが固定的に設置され、前記第一沈降箱１４が前記反応塔３４の左側に位置し、前記反応塔３４の中には上方に開口した反応空間３５が設置され、前記反応空間３５の中に汚水を注ぐことができ、前記反応空間３５の中には汚水と反応剤を均等に撹拌できる撹拌機構１０１が設置され、前記反応塔３４の右側面にはケース３９が固定的に設置され、前記ケース３９の中には上方に開口した液貯蔵空間４０が設置され、前記液貯蔵空間４０の中には反応剤を貯蔵でき、前記液貯蔵空間４０と前記反応空間３５との間には連結空間６２が連通するように設置され、前記連結空間６２の中には前記液貯蔵空間４０の中の反応剤を間欠的に前記反応空間３５の中に排出できるピストン機構１０２が設置され、前記本体２２の中にはモーター空間４５が設置され、前記モーター空間４５の底壁には第一モーター４２が固定的に設置され、前記第一モーター４２は伝動を通じて前記撹拌機構１０１と前記ピストン機構１０２とを制御でき、前記第一沈降箱１４の中には上方に開口した第一沈殿池１３が設置され、前記第一沈殿池１３の中には沈降機構１０３が設置され、前記沈降機構１０３は前記反応空間３５の中で均等に撹拌された汚水を静置して沈殿を生成させてから汚水をろ過でき、前記モーター空間４５の下側には汚水空間２７が設置され、前記汚水空間２７は前記撹拌機構１０１と前記ピストン機構１０２とによって浄水をろ過しにくい汚水及びヘドロを貯蔵でき、前記本体２２の頂面には二つの左右対称の支持柱５０が固定的に設置され、前記支持柱５０が前記反応塔３４の右側に位置し、二つの前記支持柱５０の間には前記汚水空間２７の中に貯蔵している汚水とヘドロに加圧ろ過をできる加圧ろ過機構１０４が設置され、前記本体２２の中には上方に開口した制御空間６０が設置され、前記制御空間６０の中には前記加圧ろ過機構１０４を制御して開けることができる制御機構１０５が設置されている。
【００１９】
また、一つの実施例において、前記反応塔３４の左側面には支え板３１が固定的に設置され、前記支え板３１の頂面にはジャケット３２が固定的に設置され、前記ジャケット３２の中には汚水管３３が挟まれて装着され、前記汚水管３３の右方に伸びている部分が前記反応空間３５の中に伸び、前記汚水管３３の左側の伸びている部分が汚水源と連通しており、前記汚水管３３を介して前記反応空間３５の中に汚水を注げる。
【００２０】
また、一つの実施例において、前記撹拌機構１０１はモーター軸３７を含み、前記モーター軸３７の底面が前記第一モーター４２の頂面に伝動できるように連結され、前記モーター軸３７の上方に伸びている部分が前記反応空間３５の中に伸び、且つ前記モーター軸３７の上方に伸びている部分の外周には撹拌ロッド３８が固定的に設置され、前記反応空間３５の底面にはシールスリーブ３６が固定的に設置されており、
前記第一モーター４２の作動により、前記モーター軸３７が前記撹拌ロッド３８を回転連動させ、それによって前記撹拌ロッド３８が撹拌機能を有し、前記シールスリーブ３６は密封する作用を果たせる。
【００２１】
また、一つの実施例において、前記ピストン機構１０２はピストン６４を含み、前記連結空間６２の下側には下方に開口したスライド空間６３が連通するように設置され、前記ピストン６４が前記スライド空間６３の内壁にスライドできるように設置され、前記ピストン６４の下側には前記連結空間６２がヒンジで連結され、前記モーター空間４５の右側には上方に開口した曲がりロッド空間４７が設置され、前記曲がりロッド空間４７の左壁には曲がりロッド７７が回転できるように設置され、前記曲がりロッド７７の左方に伸びている部分が前記モーター空間４５の中に伸び、且つ前記曲がりロッド７７の左方に伸びている部分の左側面には第一傘歯車４４が固定的に設置され、前記モーター空間４５の中の前記モーター軸３７の外周には第二傘歯車４３が固定的に設置され、前記第二傘歯車４３が前記第一傘歯車４４と噛み合い、前記連結空間６２の下方に伸びている部分が前記曲がりロッド空間４７の中に伸び、且つ前記曲がりロッド７７とヒンジで連結されており、
前記第一モーター４２の作動により、前記モーター軸３７は前記曲がりロッド７７を回転連動させられ、それによって前記連結空間６２が前記ピストン６４を間欠的に上下に移動連動させることができ、前記液貯蔵空間４０の中の反応剤を間欠的に前記反応空間３５の中に排出できる。
【００２２】
また、一つの実施例において、前記ケース３９の頂面には閉鎖蓋４１が回転できるように設置され、
前記閉鎖蓋４１を通じて前記液貯蔵空間４０を密封できる。
【００２３】
また、一つの実施例において、前記沈降機構１０３は前記第一沈殿池１３の底壁に固定的に設置された第二沈降箱２３を含み、前記第二沈降箱２３の中には上方に開口した第二沈殿池２４が設置され、前記反応塔３４の内壁の中には第一バルブ３０が固定的に設置され、前記第一バルブ３０の右側が前記反応空間３５と連通し、前記第一バルブ３０の左側には横管２５が連通するように連結され、前記横管２５の左側が前記第二沈殿池２４と連通し、前記第二沈殿池２４と前記第一沈殿池１３との間の内壁の中には二つの左右対称の第二バルブ１２が設置され、前記第二バルブ１２は前記第二沈殿池２４と前記第一沈殿池１３とを連通させることができ、
前記第一バルブ３０を開けることにより、前記反応空間３５の中の上側にある液体を前記第二沈殿池２４の中に排出でき、液体が前記第二沈殿池２４の中に静置沈殿した後に、前記第二バルブ１２を開け、それによって前記第二沈殿池２４の中の上側にある清らかな液体を前記第一沈殿池１３の中に排出できる。
【００２４】
また、一つの実施例において、前記反応空間３５の底壁の中には第三バルブ２９が固定的に設置され、前記第三バルブ２９の上側が前記反応空間３５と連通し、前記第三バルブ２９の下側には直管２８が連通するように連結され、前記直管２８が前記汚水空間２７と連通し、前記第二沈殿池２４の底壁の中には第四バルブ１１が固定的に設置され、前記第四バルブ１１の上側が前記第二沈殿池２４と連通し、前記第四バルブ１１の下側には連結管２６が連通するように連結され、前記連結管２６が前記汚水空間２７と連通しており、
前記第三バルブ２９を開けることにより、前記反応空間３５の中に残った汚水を前記汚水空間２７の中に排出でき、前記第四バルブ１１を開けることにより、前記第二沈殿池２４の中に残った汚水を前記汚水空間２７の中に排出できる。
【００２５】
また、一つの実施例において、前記加圧ろ過機構１０４は二つの前記支持柱５０の間に固定的に設置されたスライド柱７１を含み、前記スライド柱７１の外周には七つのフィルター板６７がスライドできるように設置され、前記フィルター板６７の中にはフィルター６６が固定的に設置され、前記フィルター板６７の上下両側にはいずれも引っかかり溝６８が形成され、一番右側に位置する前記フィルター板６７の右側面には二つの上下対称の押し動かし柱７０が当接するように設置され、前記押し動かし柱７０の右方に伸びている部分が右側に位置する前記支持柱５０の内壁を貫通し、且つ前記押し動かし柱７０の右方に伸びている部分の右側面には押し動かし板５５が固定的に設置され、右側に位置する前記支持柱５０の右側面には液圧シリンダ５３が固定的に設置され、前記液圧シリンダ５３の右側面には液圧軸５６が伝動できるように連結され、前記液圧軸５６の右側面が前記押し動かし板５５と固定的に連結され、前記本体２２の頂面には汚水ポンプ４８が固定的に設置され、前記汚水ポンプ４８の上下両側にはいずれもウォーターポンプ管４９が連通するように装着され、上側に位置する前記ウォーターポンプ管４９の右方に伸びている部分が左側に位置する前記支持柱５０の内壁を貫通し、且つ左側に位置する前記フィルター板６７と連通し、下側に位置する前記ウォーターポンプ管４９が前記汚水空間２７と連通し、前記汚水空間２７の右側には上下方向に開口した貯蔵空間５１が設置され、前記貯蔵空間５１の下側には閉鎖ドア５２がスライドできるように装着されており、
前記汚水ポンプ４８の作動により、前記汚水空間２７の中の汚水を前記フィルタ−板６７の中に輸送でき、前記液圧シリンダ５３の作動により、前記押し動かし板５５が前記押し動かし柱７０を連動させて六つの前記フィルタ−板６７を押し、それによって前記フィルタ−板６７の中の汚水に加圧ろ過を行って浄水を押し出し、且つ浄水を前記貯蔵空間５１の中に排出できる。
【００２６】
また、一つの実施例において、前記汚水空間２７の左側には左方に開口した収納空間２１が設置され、前記収納空間２１の底壁にはウォーターポンプ２０が固定的に設置され、前記ウォーターポンプ２０の左右両側面にはいずれも排水管１９が連通するように設置され、前記第一沈降箱１４の下側には水管１８が連通するように装着され、前記貯蔵空間５１の左壁には吸水管１６が連通するように装着され、前記水管１８の下方に伸びている部分が前記収納空間２１の中に伸び、前記吸水管１６の左方に伸びている部分が前記収納空間２１の中に伸び、前記吸水管１６と、前記水管１８と、右側に位置する前記排水管１９との間には三方管１７が固定的に装着されており、
前記ウォーターポンプ２０の作動により、前記第一沈殿池１３と前記貯蔵空間５１との中からろ過されてきた浄水を本発明の装置から吸い出し、且つ前記排水管１９を介して排出する。
【００２７】
また、一つの実施例において、前記制御機構１０５は前記制御空間６０の底壁に固定的に設置された第二モーター５９を含み、前記制御空間６０の底壁には移動板５７がスライドできるように設置され、前記第二モーター５９の右側面にはスクリュー６１が伝動できるように連結され、前記スクリュー６１の右方に伸びている部分が前記移動板５７の内壁を貫通し、且つ前記制御空間６０の右壁と回転できるように連結され、前記移動板５７が前記スクリュー６１とねじ山によって嵌合され、前記移動板５７の左側面には二つの上下対称の移動ロッド５８が固定的に設置され、前記移動ロッド５８の左方に伸びている部分が右側に位置する前記支持柱５０の内壁を貫通し、前記移動ロッド５８の後側面にはヒンジピン７３がヒンジで連結され、前記ヒンジピン７３の右側面と前記移動ロッド５８との間には第一ばね７２が固定的に装着され、前記ヒンジピン７３の底面には底板７４が固定的に設置され、前記底板７４と前記移動ロッド５８との間には第二ばね７５が固定的に装着され、前記ヒンジピン７３は前記引っかかり溝６８の中に差し込まれることができ、
前記第二モーター５９の作動により、前記移動板５７が左方に移動でき、それによって前記ヒンジピン７３が前記引っかかり溝６８の中に差し込まれ、前記第二モーター５９が逆方向に回転する時に、前記移動ロッド５８が前記フィルタ−板６７を引き動かして右方に開けられ、それによって加圧ろ過されたヘドロが前記貯蔵空間５１の中に排出され、前記閉鎖ドア５２を開けることにより、ヘドロを本発明の装置から排出できる。
【００２８】
本発明の装置を使用する時に、汚水管３３を介して反応空間の中に汚水を注げ、第一モーター４２の作動により、モーター軸３７が撹拌ロッド３８を回転連動させられ、それによって撹拌ロッド３８が撹拌する機能を有し、シールスリーブ３６は密封する作用を果たせ、第一モーター４２の作動により、モーター軸３７は曲がりロッド７７を回転連動させられ、それによって連結空間６２がピストン６４を間欠的に上下に移動連動させることができ、液貯蔵空間４０の中の反応剤を間欠的に反応空間３５の中に排出でき、第一バルブ３０を開けることにより、反応空間３５の中の上側にある液体を第二沈殿池２４の中に排出でき、液体が第二沈殿池２４の中に静置沈殿した後に、第二バルブ１２を開け、それによって第二沈殿池２４の中の上側にある清らかな液体を第一沈殿池１３の中に排出でき、第三バルブ２９を開けることにより、反応空間３５の中に残った汚水を汚水空間２７の中に排出でき、第四バルブ１１を開けることにより、第二沈殿池２４の中に残った汚水を汚水空間２７の中に排出でき、汚水ポンプ４８の作動により、汚水空間２７の中の汚水をフィルタ−板６７の中に輸送でき、液圧シリンダ５３の作動により、押し動かし板５５が押し動かし柱７０を連動させて六つのフィルター板６７を押し、それによってフィルター板６７の中の汚水に加圧ろ過を行って浄水を押し出し、且つ浄水を貯蔵空間５１の中に排出でき、ウォーターポンプ２０の作動により、第一沈殿池１３と貯蔵空間５１との中からろ過されてきた浄水を本発明の装置から吸い出し、且つ排水管１９を介して排出し、第二モーター５９の作動により、移動板５７が左方に移動でき、それによってヒンジピン７３が引っかかり溝６８の中に差し込まれ、第二モーター５９が逆方向に回転する時に、移動ロッド５８がフィルター板６７を引き動かして右方に開け、それによって加圧ろ過されたヘドロとが貯蔵空間５１の中に排出され、閉鎖ドア５２を開けることにより、ヘドロを本発明の装置から排出できる。
【００２９】
本発明の有益な効果は：本発明は最大限に大型紡績業から排出された汚水を利用でき、処理した後の浄水をリサイクルでき、資源の利用率を高め、製品のコストを下げ、且つ汚水を処理する方式が簡単で便利であり、操作しやすく、装置の自動化程度が高い。撹拌機構とピストン機構とが連動して作動することにより、汚水を撹拌する過程に反応剤と充分に中和させ、汚水が最初の段階で層に分け、上層の清らかな液体は沈降機構によって二段階静置沈殿でき、一部の浄水をろ過でき、反応空間と第二沈殿池との中に残った汚水は加圧ろ過機器の加圧ろ過作用によって第三回浄水をろ過でき、制御機構はモーターを介して自動的にフィルタ−板を開けられ、力を省く。
【００３０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は大型紡績業向けの汚水処理装置を開示した。
【解決手段】
主体を含み、前記主体の頂面には反応塔と第一沈降箱とが固定的に設置され、前記第一沈降箱が前記反応塔の左側に位置し、前記反応塔の中には上方に開口した反応空間が設置され、前記反応空間の中に汚水を注ぐことができ、前記反応空間の中には汚水と反応剤を均等に撹拌できる撹拌機構が設置され、前記反応塔の右側面にはケースが固定的に設置され、前記ケースの中には上方に開口した液貯蔵空間が設置され、前記液貯蔵空間の中には反応剤を貯蔵でき、本発明は最大限に大型紡績業から排出された汚水を利用でき、処理した後の浄水をリサイクルでき、資源の利用率を高め、製品のコストを下げ、且つ汚水を処理する方式が簡単で便利であり、操作しやすく、装置の自動化程度が高い。
【選択図】図１【図１】
0006783977.tif 000002
【図２】
0006783977.tif 000003
【図３】
0006783977.tif 000004
【図４】
0006783977.tif 000005